(57)【要約】【課題】  来訪者映像を表示するモニタを備えたインターホン装置に、体重計等のデータを読み取って蓄積する機能を設け、簡易な操作で居住者の健康管理に寄与できるインターホン装置を提供する。【解決手段】  居室親機２に、体重計３の赤外線送信部３ａから送信されるデータを受信する赤外線受信部２８と、受信したデータを保存するデータ記憶部２９と、データを所定の表示形態に加工するためのソフトウエアを保存するソフトＲＯＭ３０とを設け、玄関子機１に歩数計４の赤外線送信部４ａから送信されるデータを受信する赤外線受信部１７を設けた。操作部３１の所定の表示操作により、親機ＣＰＵ３２は受信したデータ或いは保存している体重計３や歩数計４のデータをグラフ等の表示形態に加工してＬＣＤ２１に表示する。【選択図】  図１
2010226492.tif 000002
【特許請求の範囲】
【請求項１】
来訪者を撮像するためのカメラを備え、居住者を呼び出して通話するために玄関に設置された玄関子機と、前記カメラの撮像映像を表示するモニタを備え、前記玄関子機からの呼出に応答するために住戸内に設置された居室親機とを有するインターホン装置において、
前記玄関子機及び居室親機のうち、少なくとも居室親機に、体重計、血圧計等の生体情報測定機器、或いは歩数計や電動ウォーカー等の健康管理機器に備えられた無線送信手段から送信されるデータを受信する無線受信手段を備えると共に、
前記居室親機は、前記生体情報測定機器或いは前記健康管理機器から受信したデータを保存するデータ保存手段と、受信したデータ或いは保存データをグラフ等所定の表示形態に加工するためのソフトウエアを保存する表示ソフトウエア記憶手段と、前記モニタに加工したデータを表示させる表示制御手段とを有することを特徴とするインターホン装置。
【請求項２】
前記玄関子機が前記無線受信手段を有し、歩数計の無線送信手段から送信されるデータを受信可能であって、
更に前記玄関子機に受信したデータを前記居室親機に送信するためのデータ送信手段、前記居室親機に前記玄関子機から送信されたデータを受信するためのデータ受信手段を設けたことを特徴とする請求項１記載のインターホン装置。
【発明の詳細な説明】
【技術分野】
【０００１】
本発明はインターホン装置に関し、詳しくは住戸内に設置された居室親機に来訪者映像を表示するためのモニタを設けたインターホン装置に関する。
【背景技術】
【０００２】
玄関子機に来訪者を撮像するためのカメラを設けると共に、居室親機にカメラが撮像した映像を表示するモニタを設けて、居住者が呼び出しに応答する際、来訪者をモニタで確認できるインターホン装置が普及している。このようなインターホン装置では、モニタに他の情報を表示させて利便性を高めたものがあり、例えば特許文献１では、ネットワークを介して接続されたパーソナルコンピュータ等から回覧情報が送信されたら、それを表示させている。
【０００３】
一方で、健康に対する意識の向上に伴い、体重計や血圧計等の生体情報測定器や歩数計等の健康管理機器が普及している。このような機器の中には、ＵＳＢ端子や赤外線通信部等のデータ送信のためのインターフェースを備え、パーソナルコンピュータにデータを転送可能とし、パーソナルコンピュータを使用して収集したデータを加工してグラフ等を作成し、履歴を表示して健康管理に利用できるようにしたものがある。
【先行技術文献】
【特許文献】
【０００４】
【特許文献１】特開２００２−２９０５７９号公報
【発明の概要】
【発明が解決しようとする課題】
【０００５】
上述したように、体重計の測定データや歩数計の計測データを蓄積して、健康管理に役立てようとする場合は、パーソナルコンピュータに転送する作業を伴うため、パーソナルコンピュータをその都度立ち上げなければならない。そして、ＵＳＢ端子を使用する場合は、その接続作業が必要となるし、赤外線通信を使用する場合でも、その受信手段をパーソナルコンピュータに接続しなければならないため、データを蓄積する作業は面倒であった。
【０００６】
ところが、来訪者映像を表示するモニタを居室親機に備えたインターホン装置は、玄関子機が呼出操作されたら速やかに来訪者映像がモニタに表示されるよう構成されているため常時オン状態にある。そこで、この特性を生かして、インターホン装置に体重計等からのデータを蓄積する機能を設ければ、簡易な操作でデータを蓄積できるし、更に蓄積したデータを容易にモニタに表示させることもでき、居住者の健康管理に寄与できる。
【０００７】
そこで、本発明はこのような点に鑑み、来訪者映像を表示するモニタを備えたインターホン装置に、体重計等のデータを読み取って蓄積する機能を設け、簡易な操作で居住者の健康管理に寄与できるインターホン装置を提供することを目的としている。
【課題を解決するための手段】
【０００８】
上記課題を解決する為に、請求項１の発明は、来訪者を撮像するためのカメラを備え、居住者を呼び出して通話するために玄関に設置された玄関子機と、カメラの撮像映像を表示するモニタを備え、玄関子機からの呼出に応答するために住戸内に設置された居室親機とを有するインターホン装置において、玄関子機及び居室親機のうち、少なくとも居室親機に、体重計、血圧計等の生体情報測定機器、或いは歩数計や電動ウォーカー等の健康管理機器に備えられた無線送信手段から送信されるデータを受信する無線受信手段を備えると共に、居室親機は、生体情報測定機器或いは健康管理機器から受信したデータを保存するデータ保存手段と、受信したデータ或いは保存データをグラフ等所定の表示形態に加工するためのソフトウエアを保存する表示ソフトウエア記憶手段と、モニタに加工したデータを表示させる表示制御手段とを有することを特徴とする。
この構成によれば、体重計や歩数計から無線通信により常時オン状態にあるインターホン装置にデータを送信できるので、受信側の立ち上げ操作や通信路を形成する操作を行うこと無く送信でき、簡易な操作で速やかに送信できる。
そして、居室親機のモニタには送信したデータをグラフ等に加工して表示できるので、パーソナルコンピュータ等を使用してデータ管理をする必要がない。
【０００９】
請求項２の発明は、請求項１に記載の構成において、玄関子機が無線受信手段を有し、歩数計の無線送信手段から送信されるデータを受信可能であって、更に玄関子機に受信したデータを居室親機に送信するためのデータ送信手段、居室親機に玄関子機から送信されたデータを受信するためのデータ受信手段を設けたことを特徴とする。
この構成によれば、玄関子機で歩数計のデータを受信できるので、歩数計を身に付けてウォーキングや散歩に出かけた居住者は、住戸内まで戻ること無くデータの送信ができ便利である。
【発明の効果】
【００１０】
本発明によれば、受信側の立ち上げ操作や通信路を形成する操作を行うこと無く体重計等のデータを送信でき、簡易な操作で速やかに送信できる。そして、居室親機のモニタには送信したデータをグラフ等に加工して表示できるので、パーソナルコンピュータ等を使用してデータ管理をする必要がない。
【図面の簡単な説明】
【００１１】
【図１】本発明に係るインターホン装置の一例を示すブロック図である。
【発明を実施するための形態】
【００１２】
以下、本発明を具体化した実施の形態を、図面に基づいて詳細に説明する。図１は本発明に係るインターホン装置の一例を示すブロック図であり、１は居住者を呼び出して通話するために玄関に設置された玄関子機、２は玄関子機１からの呼出に応答するために住戸内に設置された居室親機、３は生体情報測定機器として体重計、４は健康管理機器として腕時計型の歩数計を示している。玄関子機１と居室親機２は伝送線Ｌ１により接続されている。
【００１３】
玄関子機１は、来訪者を撮像するためのカメラ１１、カメラ１１の撮像映像の変調処理等を行う映像処理部１２、居住者と通話するためのマイク１３及びマイクアンプ１４、スピーカ１５及びスピーカアンプ１６、歩数計４からデータを入手する赤外線受信部１７、入手したデータを居室親機２へ送信するためのデータ送信部１８、居室親機２と通信するための子機インターフェース（子機ＩＦ）１９等を備えている。
【００１４】
居室親機２は、カメラ１１の撮像映像を表示するモニタとしてのＬＣＤ２１、映像信号をＬＣＤ２１に表示するために復調等行う映像処理部２２、通話するためのマイク２３及びマイクアンプ２４、スピーカ２５及びスピーカアンプ２６、玄関子機１からデータを受信するためのデータ受信部２７、体重計３からデータを入手するための赤外線受信部２８、受信したデータを記憶するＲＯＭから成るデータ記憶部２９、記憶したデータをＬＣＤ２１にグラフ等データ加工して表示するためのソフトウエアを記憶するソフトＲＯＭ３０、ＬＣＤ２１に一体に設けられたタッチパネルから成り各種操作を行う操作部３１、居室親機２を制御する親機ＣＰＵ３２、玄関子機１と通信するための親機インターフェース（親機ＩＦ）３３等を備えている。
【００１５】
体重計３及び歩数計４は、データを赤外線送信する赤外線送信部３ａ、４ａを有し、測定した体重データ、或いは計測した歩数データを所定の送信操作によりインターホン装置等に設けられた赤外線受信部１７，２８に送信できるよう構成されている。尚、赤外線による送受信は、例えばＢｌｕｅｔｏｏｔｈ（登録商標）で行えば良い。
【００１６】
このように構成されたインターホン装置は次のように動作する。但し、玄関子機１の図示しない呼出ボタンが操作されると居室親機２が呼び出され、呼出動作している居室親機２の図示しない通話ボタンが操作されることで、玄関子機１と居室親機２の間で通話が可能となる動作は従来と同様であるため説明を省略し、ここでは、体重計３及び歩数計４からのデータの送信、更にＬＣＤ２１のデータ表示動作を説明する。
【００１７】
体重計３の赤外線送信部３ａを居室親機２に向けて、体重計３の図示しない転送ボタンを操作することで、体重計３の測定データは赤外線送信部３ａから居室親機２に送信される。送信されたデータは、居室親機２の赤外線受信部２８で受信され、この信号を受信した親機ＣＰＵ３２は、受信データをデータ記憶部２９へ保存する。
【００１８】
一方、歩数計４が計測したデータは、歩数計４の赤外線送信部４ａを玄関子機１に向けて、歩数計４の図示しない転送ボタンを操作することで、赤外線送信部４ａからデータが玄関子機１に送信される。玄関子機１の赤外線受信部１７は、この信号を受信するとデータ送信部１８へ送り、データ送信部１８から子機ＩＦ１９、伝送線Ｌ１を介して居室親機２へ伝送される。
【００１９】
玄関子機１から居室親機２へ伝送されたデータは、親機ＩＦ３３を介してデータ受信部２７が受信し、親機ＣＰＵ３２へ送られる。親機ＣＰＵ３２は、受信したデータをデータ記憶部２９へ保存する。
データ記憶部２９に保存されたデータは、操作部３１の所定の表示操作により、ソフトＲＯＭ３０に記憶されているソフトウェアに基づいて、例えば測定した体重の履歴データが加工処理され、例えば折れ線グラフ化されてＬＣＤ２１へ表示される。
【００２０】
このように、体重計や歩数計から赤外線送信により常時オン状態にあるインターホン装置にデータを送信できるので、受信側の立ち上げ操作や通信路の接続操作をすること無く送信でき、簡易な操作で速やかに送信できる。そして、居室親機のモニタに送信したデータを加工して表示できるので、例えば蓄積したデータをグラフ化して見ることが可能となり、パーソナルコンピュータ等を使用してデータ管理をする必要がない。
また、玄関子機で歩数計のデータを受信できるので、歩数計を身に付けてウォーキングや散歩に出かけた居住者は、住戸内まで戻ること無くデータの送信ができ便利である。
【００２１】
尚、上記実施形態では、赤外線によりデータをインターホン装置へ送信しているが、電波による送信としても良い。また、体重計３や歩数計４からインターホン装置への単方向通信によりデータを送信しているが、勿論双方向通信によりデータ送信を実施しても良く、より確実にデータを送信できる。
更に、生体情報測定機器の一例として体重計３を挙げているが、血圧計等他の測定器であっても良いし、健康管理機器も歩数計４を挙げているが、電動ウォーカー等他の機器であっても良い。但し、電動ウォーカー等室内で使用される機器の場合は、居室親機２にデータを送信すれば良い。
【符号の説明】
【００２２】
１・・玄関子機、２・・居室親機、３・・体重計（生体情報測定機器）、３ａ・・赤外線送信部（無線送信手段）、４・・歩数計（健康管理機器）、４ａ・・赤外線送信部（無線送信手段）、１１・・カメラ、１７・・赤外線受信部（無線受信手段）、１８・・データ送信部（データ送信手段）、２１・・ＬＣＤ（モニタ）、２７・・データ受信部（データ受信手段）、２８・・赤外線受信部（無線受信手段）、２９・・データ記憶部（データ保存手段）、３０・・ソフトＲＯＭ（表示ソフトウエア記憶手段）、３１・・操作部、３２・・親機ＣＰＵ（表示制御手段）。
【図１】
2010226492.tif 000003